(57)【要約】  長尺フィルムの内面に対する接触抵抗を低減して搬送することができるインナーガイドを提供する。  インナーガイド（１２）は、被支持部（２８）と離反部（３２）とを備える。被支持部（２８）は、長尺フィルム（ＬＦ）の幅方向の略中央領域においてベース部材に回転可能に支持される一対の被支持ローラ（４０ａ），（４０ｂ）と、ベース部材に回転可能に支持される各一対の上流側および下流側内部ローラ（４２ａ），（４２ｂ），（４４ａ），（４４ｂ）とを有する。一対の被支持ローラ（４０ａ），（４０ｂ）は支持ユニットの一対の支持ローラ（２２ａ），（２２ｂ）との間に２枚のフィルム部分（Ｆ１），（Ｆ２）を１枚ずつ挟んだ状態で配置される。各一対の内部ローラ（４２ａ），（４２ｂ），（４４ａ），（４４ｂ）は、支持ユニットの各一対の外部ローラ（２４ａ），（２４ｂ），（２６ａ），（２６ｂ）との間にフィルム部分（Ｆ１），（Ｆ２）を１枚ずつ挟んだ状態で配置される。
2016157932.tif 000002
【特許請求の範囲】
【請求項１】
シート状に折り畳まれた状態で搬送される筒状の長尺フィルムの内側に配置され、長尺フィルムの外側から支持ユニットによって支持されるインナーガイドであって、  前記支持ユニットによって支持される被支持部と、  前記被支持部における長尺フィルムの搬送方向下流側に連設された、長尺フィルムの切断端を離反させて開く離反部と、を備え、  前記被支持部は、板状のベース部材と、長尺フィルムの幅方向に関して前記ベース部材の略中央領域において前記ベース部材に回転可能に支持される一対の被支持ローラと、この一対の被支持ローラに対して長尺フィルムの搬送方向の上流側および下流側の少なくとも一方において前記ベース部材に回転可能に支持される一対の内部ローラとを有し、  前記一対の被支持ローラは前記支持ユニットに回転可能に設けられる一対の支持ローラとの間に長尺フィルムを構成する２枚のフィルム部分を１枚ずつ挟んだ状態で配置され、前記一対の内部ローラは前記支持ユニットに回転可能に設けられる一対の外部ローラとの間に前記フィルム部分を１枚ずつ挟んだ状態で配置される、  インナーガイド。
【請求項２】
請求項１に記載のインナーガイドにおいて、  前記被支持部に設けられる一対の内部ローラは、長尺フィルムの搬送方向に関する各ローラ位置がずれて配置されている、インナーガイド。
【請求項３】
請求項１または２に記載のインナーガイドにおいて、  前記被支持部と前記離反部との間に板状の連結部を有し、該連結部は、長尺フィルムより幅狭に形成されるとともに、長尺フィルムを挟んで下流側に送り出す送出ローラ対を配置するための開口部が形成されたフレーム状をなしている、インナーガイド。
【請求項４】
シート状に折り畳まれた状態で搬送される筒状の長尺フィルムの内側に配置されるインナーガイドを長尺フィルムの外側から支持する支持ユニットであって、  前記インナーガイドに回転可能に設けられる一対の被支持ローラとの間に、長尺フィルムを構成する２枚のフィルム部分を１枚ずつ挟んだ状態で配置される一対の回転可能な支持ローラと、  前記インナーガイドに回転可能に設けられる一対の内部ローラとの間に、前記フィルム部分を１枚ずつ挟んだ状態で配置される一対の回転可能な外部ローラと、を備える、  支持ユニット。
【請求項５】
請求項１〜３のいずれか一項に記載のインナーガイドと、  請求項４に記載の支持ユニットと、を備え、  シート状に折り畳まれた状態で搬送される筒状の長尺フィルムの内側に配置される前記インナーガイドが、長尺フィルムの外側から前記支持ユニットによって支持される、インナーガイドユニット。
【発明の詳細な説明】
【技術分野】
【０００１】  本発明は、シート状に折り畳まれた状態で搬送される筒状の長尺フィルムの内側に配置されるインナーガイド、このインナーガイドを筒状フィルムの外側から支持する支持ユニット、及びこれらを備えたインナーガイドユニットに関する。
【背景技術】
【０００２】  従来、シート状に折り畳まれた帯状の筒状フィルムを所定長に切断することによって形成した個別の筒状フィルムを所定形状に開口しながら容器等の被嵌体に被嵌するフィルム被嵌装置において、切断後の筒状フィルムの開口性を向上させるためにインナーガイドが用いられている。インナーガイドは、長尺フィルムを個別の筒状フィルムに切断するフィルム切断ユニットのフィルム搬送方向上流側において長尺フィルムの内側に配置される。【０００３】  上記インナーガイドとして、図８に示されるものがある。このインナーガイド１００は、シート状に折り畳まれた筒状の長尺フィルムＬＦの内側に収容されて配置される。インナーガイド１００は、扁平な板状をなすベース部材１０２を備える。ベース部材１０２は、例えば合成樹脂製のブロックにより構成される。【０００４】  ベース部材１０２の上部には、２つのガイド部材１０４ａ，１０４ｂが取り付けられている。各ガイド部材１０４ａ，１０４ｂの外側縁部の間の寸法は、長尺フィルムＬＦの幅Ｗに相当する。これにより、上流側のフィルム送出ユニット（図示せず）から送り出された長尺フィルムＬＦの両側縁にある２つの折目部分の内面に各ガイド部材１０４ａ，１０４ｂが摺接することになる。その結果、インナーガイド１００に対する長尺フィルムＬＦの搬送位置が規制されるようになっている。【０００５】  ベース部材１０２の幅方向の両側には、窪み部１０６がそれぞれ形成されている。ベース部材１０２の内部には、一対の被支持ローラ１０８が回転可能に支持されている。そして、各ローラ１０８の外周面の一部が窪み部１０６において露出している。このように一対の被支持ローラ１０８の外周面が露出したベース部材１０２の窪み部１０６に、一対の回転可能な支持ローラ１１０が嵌まり込んでいる。これにより、インナーガイド１００が一対の支持ローラ１１０によって支持されている。また、長尺フィルムＬＦの折目部分は、各一対の被支持ローラ１０８と支持ローラ１１０との間に挟まれた状態で下方に搬送され、その結果、ベース部材１０２を通過した長尺フィルムＬＦでは折目が緩和される（伸ばされる）。【０００６】  ベース部材１０２の下部には、細幅の連結部１１２を介して離反部１１４が連設されている。連結部１１２の両側には、長尺フィルムＬＦを下方へ送り出す送出ローラ１１６ａ，１１６ｂが配置されている。各送出ローラ１１６ａ，１１６ｂはそれぞれニップを形成するローラ対で構成されており、各ローラ対のニップに長尺フィルムＬＦが挟み込まれている。これにより、各送出ローラ１１６ａ，１１６ｂが図示しないモータによって回転駆動されることによって、長尺フィルムＬＦが下方へ搬送される。【０００７】  離反部１１４は、２枚のばね板１１５ａ，１１５ｂによって構成される。２枚のばね板１１５ａ，１１５ｂは、下方へ向かって略Ｖ字状に広がる形状に形成されている。送出ローラ１１６ａ，１１６ｂによって送り出された長尺フィルムＬＦは、離反部１１４の下端近傍において図示しないフィルム切断ユニットによって切断されて、個別の筒状ラベルが形成される。そのとき、長尺フィルムＬＦの切断端付近を強制的に離反させて開くことで、インナーガイド１００の下方に配置されるマンドレルの上端部に長尺フィルムＬＦの切断端部が確実に被嵌されるようになっている。【０００８】  なお、上記のようなインナーガイドに関連する先行技術文献として、下記の特許文献１がある。
【先行技術文献】
【特許文献】
【０００９】
【特許文献１】特開２０１１−１９５１７６号公報
【発明の概要】
【発明が解決しようとする課題】
【００１０】  図８（ａ）の上面図に示すように、インナーガイド１００のベース部材１０２の外周面は、扁平な略八角形の形状に形成され、その周囲を搬送される長尺フィルムＬＦの内周面全体がベース部材１０２の外周表面に接触（摺接）しながら搬送されるようになっている。これにより、各一対の被支持ローラ１０８および支持ローラ１１０の間に挟まれて搬送される長尺フィルムＬＦに皺が形成されることなく搬送することができる。しかし、このように長尺フィルムＬＦとベース部材１０２との接触面積が大きいと、内面に滑り性を良好にする印刷層（例えばメジウムインキ層等）が形成されていない長尺フィルムＬＦや、自然収縮によって折り幅が例えば１ｍｍ程度小さくなっている長尺フィルムＬＦの場合には、搬送時の接触抵抗が過度に大きくなるためにベース部材１０２の周囲で長尺フィルムＬＦの搬送詰まりや傷が発生することがある。【００１１】  本発明は、上記の課題に鑑みてなされたもので、筒状の長尺フィルムの内面に対する接触抵抗を低減するとともに幅方向両側の折目を残した状態で長尺フィルムを確実に搬送することができるインナーガイド、このインナーガイドを筒状の長尺フィルムの外側から支持する支持ユニット、及びこれらを備えたインナーガイドユニットを提供することを目的とする。
【課題を解決するための手段】
【００１２】  本発明の一態様であるインナーガイドは、シート状に折り畳まれた状態で搬送される筒状の長尺フィルムの内側に配置され、長尺フィルムの外側から支持ユニットによって支持されるインナーガイドであって、前記支持ユニットによって支持される被支持部と、前記被支持部における長尺フィルムの搬送方向下流側に連設された、長尺フィルムの切断端を離反させて開く離反部と、を備え、前記被支持部は、板状のベース部材と、長尺フィルムの幅方向に関して前記ベース部材の略中央領域において前記ベース部材に回転可能に支持される一対の被支持ローラと、この一対の被支持ローラに対して長尺フィルムの搬送方向の上流側および下流側の少なくとも一方において前記ベース部材に回転可能に支持される一対の内部ローラとを有し、前記一対の被支持ローラは前記支持ユニットに回転可能に設けられる一対の支持ローラとの間に長尺フィルムを構成する２枚のフィルム部分を１枚ずつ挟んだ状態で配置され、前記一対の内部ローラは前記支持ユニットに回転可能に設けられる一対の外部ローラとの間に前記フィルム部分を１枚ずつ挟んだ状態で配置されるものである。【００１３】  本発明に係るインナーガイドにおいて、前記被支持部に設けられる一対の内部ローラは、長尺フィルムの搬送方向に関する各ローラ位置がずれて配置されているのが好ましい。【００１４】  また、本発明に係るインナーガイドにおいて、前記被支持部と前記離反部との間に板状の連結部を有し、該連結部は、長尺フィルムより幅狭に形成されるとともに、長尺フィルムを挟んで下流側に送り出す送出ローラ対を配置するための開口部が形成されたフレーム状をなしているのが好ましい。【００１５】  さらに、本発明に係るインナーガイドにおいて、前記被支持部の上流側端部に板材または線状ばねからなるガイド部材を有し、該ガイド部材は筒状の長尺フィルムの幅方向両側の折目部分の内面に当接して前記インナーガイドに対する長尺フィルムの搬送位置を規制するのが好ましい。【００１６】  本発明の別の態様である支持ユニットは、シート状に折り畳まれた状態で搬送される筒状の長尺フィルムの内側に配置されるインナーガイドを長尺フィルムの外側から支持する支持ユニットであって、前記インナーガイドに回転可能に設けられる一対の被支持ローラとの間に、長尺フィルムを構成する２枚のフィルム部分を１枚ずつ挟んだ状態で配置される一対の回転可能な支持ローラと、前記インナーガイドに回転可能に設けられる一対の内部ローラとの間に、前記フィルム部分を１枚ずつ挟んだ状態で配置される一対の回転可能な外部ローラと、を備える。【００１７】  本発明のさらに別の態様であるインナーガイドユニットは、上記いずれかの構成を有するインナーガイドと、上記の支持ユニットとを備え、シート状に折り畳まれた状態で搬送される筒状の長尺フィルムの内側に配置される前記インナーガイドが、長尺フィルムの外側から前記支持ユニットによって支持されるものである。
【発明の効果】
【００１８】  本発明に係るインナーガイド、これを支持する支持ユニット、およびこれらを備えるインナーガイドユニットによれば、長尺フィルムがインナーガイドの被支持部の周囲を搬送されるとき、長尺フィルムの内面には、長尺フィルムを構成する２枚のフィルム部分の幅方向中央領域において、被支持部に回転可能に設けられた各一対の被支持ローラおよび内部ローラだけが接触した状態で搬送可能になる。したがって、内面に滑り層が形成されていない長尺フィルムや自然収縮が生じている長尺フィルムであっても、インナーガイドの被支持部の周囲を小さい接触抵抗で搬送することができ、搬送詰まりや傷の発生を抑制できる。【００１９】  また、インナーガイドは、長尺フィルムを構成する２枚のフィルム部分の幅方向の略中央領域に対応する位置で各一対の被支持ローラおよび支持ローラと各一対の内部ローラおよび外部ローラによって支持される。そのため、長尺フィルムの両側縁の折目部分をローラ間に挟んでインナーガイドを支持しなくてもよい。その結果、長尺フィルムの折目を緩和させずに残すことができる。したがって、その後に切断されて形成される個別の筒状フィルムのスプリングバック力を有効に活用して、被嵌される容器のキャップ部等の周囲に筒状フィルムを保持した状態にすることができる。
【図面の簡単な説明】
【００２０】
【図１】本実施形態のインナーガイドユニットを含むフィルム被嵌装置を示す正面図である。
【図２】図１に示すフィルム被嵌装置の側面図である。
【図３】インナーガイドユニットの一部を構成する支持ユニットの斜視図である。
【図４】インナーガイドユニットの一部を構成するインナーガイドの（ａ）上面図、（ｂ）正面図、および（ｃ）Ｃ−Ｃ線断面図である。
【図５】図３に示す支持ユニットと図４に示すインナーガイドとを組み付けた状態を示す正面図である。
【図６】図５中のＩ−Ｉ線拡大断面図である。
【図７】インナーガイドに設けられるガイド部材の変形例を示す図である。
【図８】従来のインナーガイドの一例を示す（ａ）上面図、（ｂ）正面図、および（ｃ）側面図である。
【発明を実施するための形態】
【００２１】  以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００２２】  図１は、本実施形態のインナーガイドユニット１０を含むフィルム被嵌装置１を示す正面図である。また、図２は、図１に示すフィルム被嵌装置１の側面図である。なお、図１および図２において上側から下側へと長尺フィルムが搬送されるため、図１および図２中の上側がフィルム搬送方向の上流側に相当し、下側がフィルム搬送方向の下流側に相当する。
【００２３】  筒状フィルムＦが連続的に繋がった、シート状に折り畳まれた状態の長尺フィルムＬＦから個別の筒状フィルムＦを切り離しながら、この筒状フィルムＦをフィルム被嵌位置αに順次送出することで、ベルトコンベアによって所定の搬送ピッチでフィルム被嵌位置αに順次搬送されてくるボトル容器（以下、容器という。）Ｂのキャップ部に被嵌するように構成される。
【００２４】  フィルム被嵌装置１は、長尺フィルムＬＦ（および筒状フィルムＦ）の搬送方向に関して上流側から、インナーガイドユニット１０と、フィルム送出ユニット６０と、フィルム切断ユニット７０と、マンドレル７６およびフィルム移送ユニット８０と、フィルム放出ユニット９０とを備える。各ユニット１０，６０，７０，８０，９０およびマンドレル７６は、図２に示されるフィルム被嵌装置１のフレーム２に取り付けられている。
【００２５】  インナーガイドユニット１０は、インナーガイド１２と、このインナーガイド１２を支持する支持ユニット１４とを備える。インナーガイド１２は、筒状をなす長尺フィルムＬＦの内側に配置される。支持ユニット１４は、長尺フィルムＬＦの外側からインナーガイド１２を支持する。インナーガイド１２および支持ユニット１４の詳細については後述する。
【００２６】  フィルム送出ユニット６０は、図示しない基材ロールからインナーガイドユニット１０を介して供給される長尺フィルムＬＦを挟み込む駆動ローラ６２および従動ローラ６４（送出ローラ対）を有する。駆動ローラ６２は、長尺フィルムＬＦを所定長ずつ下方へ送り出すように間欠的に駆動される。
【００２７】  フィルム切断ユニット７０は、相互に接近離反することによって開閉する剪断刃７２，７４を有する。フィルム切断ユニット７０は、フィルム送出ユニット６０によって所定長だけ送り出された長尺フィルムＬＦを剪断刃７２，７４によって切断し、個別の筒状フィルムＦを形成する。
【００２８】  マンドレル７６は、フィルム切断ユニット７０によって長尺フィルムＬＦから切り離された筒状フィルムＦを被嵌することによって所定状態に開口する機能を有する。マンドレル７６は、後述するようにインナーガイド１２の離反部によって開口した状態で下方へ送り出される長尺フィルムＬＦの切断端部が被嵌されやすいように、上端部が尖頭状の砲弾型をなしている。
【００２９】  フィルム移送ユニット８０は、一対のフィードベルトユニット８２ａ，８２ｂを備える。各フィードベルトユニット８２ａ，８２ｂにそれぞれ含まれる無端状のベルト８４がマンドレル７６の径方向に対向する位置でマンドレル７６の軸方向に沿って回転駆動されるように構成される。これにより、ベルト８４とマンドレル７６に外周面に挟まれた個別の筒状フィルムＦが所定の間隔をあけた状態でマンドレル７６の外周面に沿ってその下端側に移送される。
【００３０】  フィルム放出ユニット９０は、マンドレル７６の下端部外周面に接触しながら回転駆動される一対の放出ローラ９２ａ，９２ｂを備える。フィルム移送ユニット８０によってマンドレル７６に沿って移送されてきた筒状フィルムＦが一対の放出ローラ９２ａ，９２ｂによってマンドレル７６の下端部から下方へ筒状に開いた状態で放出される。これにより、フィルム被嵌位置に搬送されてきた容器Ｂのキャップ部の周囲に筒状フィルムＦが被嵌される。
【００３１】  次に、図３〜図５を参照して、インナーガイドユニット１０について説明する。ここでは、まずインナーガイドユニット１０に含まれる支持ユニット１４について説明し、次いでインナーガイド１２について説明する。
【００３２】  図３は、インナーガイドユニット１０の一部を構成する支持ユニット１４の斜視図である。図４は、インナーガイドユニット１０の一部を構成するインナーガイド１２の（ａ）上面図、（ｂ）正面図、および（ｃ）Ｃ−Ｃ線断面図である。また、図５は、支持ユニット１４とインナーガイド１２とを組み付けた状態を示す正面図である。
【００３３】  図３に示すように、支持ユニット１４は、固定ブラケット１６ａおよび可動ブラケット１６ｂを含む。固定ブラケット１６ａは、上面視で略Ｌ字状をなす金属製の部材であり、ボルト等によってフレーム２（図２参照）に固定される。
【００３４】  可動ブラケット１６ｂは、例えば金属製の平板状の部材である。可動ブラケット１６ｂは、固定ブラケット１６ａに立設された２本の軸部材１８ａ，１８ｂによって、固定ブラケット１６ａに対して矢印Ｄ方向に接離移動可能に設けられている。軸部材１８ａの周囲にはコイルばね２０が設けられており、このコイルばね２０の付勢力によって可動ブラケット１６ｂを固定ブラケット１６ａ側に付勢している。この付勢力によって、後述する支持ユニット１４の各ローラがインナーガイド１２の各ローラに対して押圧されるようになっている。
【００３５】  固定ブラケット１６ａおよび可動ブラケット１６ｂの各先端部には、一対の支持ローラ２２と、一対の上流側外部ローラ２４と、一対の下流側外部ローラ２６とがそれぞれ回転可能に支持されている。一対の支持ローラ２２は、後述するようにインナーガイド１２の被支持部に設けられる一対の被支持ローラとの間に長尺フィルムＬＦを構成する２枚のフィルム部分を１枚ずつ挟んだ状態で、インナーガイド１２を重力方向に支持するものである。また、各上流側外部ローラ２４および下流側外部ローラ２６は、後述するインナーガイド１２の被支持部に設けられる内部ローラとの間に長尺フィルムＬＦを構成するフィルム部分を１枚ずつ挟んだ状態で、インナーガイド１２が長尺フィルムＬＦの表面と直交する方向（矢印Ｄ方向）及び平行な方向（矢印Ｈ方向）に振れないように支持するものである。
【００３６】  一対の支持ローラ２２を構成する各ローラ２２ａ，２２ｂは、長尺フィルムＬＦの搬送方向を示す矢印Ｅ方向に関して同じ高さ位置に並ぶように配置されている。これに対し、一対の上流側外部ローラ２４を構成する各ローラ２４ａ，２４ｂは矢印Ｅ方向に関してずれた高さ位置に配置されている。具体的には、ローラ２４ａがローラ２４ｂよりも少し上側に配置されている。また、一対の下流側外部ローラ２６を構成する各ローラ２６ａ，２６ｂについても同様に矢印Ｅ方向に関してずれた高さ位置に配置されており、ローラ２６ａがローラ２６ｂよりも少し上側に配置されている。このように上流側外部ローラ２４および下流側外部ローラ２６の各ローラ位置を上下方向にずらして配置するのは、後述するインナーガイド１２の被支持部に設けられる内部ローラの配設位置に対応させたものである。
【００３７】  図４に示すように、インナーガイド１２は、被支持部２８と、被支持部２８に連結部３０を介して連設される離反部３２と、被支持部２８の上端部に取り付けられるガイド部材３４とを備える。
【００３８】  インナーガイド１２の被支持部２８は、上述した支持ユニット１４によって長尺フィルムＬＦの外側からインナーガイド１２が支持される部分である。被支持部２８は、板状のベース部材３６と、長尺フィルムＬＦの幅Ｗに沿った方向（以下、幅方向という）に関してベース部材３６の略中央領域に取り付けられたローラ取付部３８とを有する。ベース部材３６は、例えば金属板によって好適に構成される。ベース部材３６は、長尺フィルムＬＦの幅Ｗより少し狭い幅に形成されている。
【００３９】  ローラ取付部３８の両側には窪み部３９が形成されている。ここで図４（ａ）に示すように、長尺フィルムＬＦは、両側縁である折目部分Ｏ１，Ｏ２と、これらの折目部分Ｏ１，Ｏ２間に延在する２枚のフィルム部分Ｆ１，Ｆ２を含んで構成される。図５に示すように、ローラ取付部３８の窪み部３９に支持ユニット１４の一対の支持ローラ２２が嵌まり込んで配置される。
【００４０】  図４を再び参照すると、被支持部２８においてローラ取付部３８の窪み部３９の上側部分には、一対の被支持ローラ４０ａ，４０ｂが回転可能に支持されて、ローラ外周部の一部が窪み部３９の表面から僅かに突出して露出している。これにより、一対の被支持ローラ４０ａ，４０ｂは、長尺フィルムＬＦのフィルム部分Ｆ１，Ｆ２をそれぞれ挟んだ状態で一対の支持ローラ２２の各ローラ２２ａ，２２ｂの上に乗る。その結果、インナーガイド１２は、その被支持部２８を介して一対の支持ローラ２２によって重力方向に関して支持される。
【００４１】  また、被支持部のローラ取付部３８において被支持ローラ４０ａ，４０ｂのフィルム搬送方向上流側には、一対の上流側内部ローラ４２ａ，４２ｂが回転可能に支持されている。各ローラ４２ａ，４２ｂのローラ外周面の一部はローラ取付部３８の表面に露出している。ここで、一方の上流側内部ローラ４２ａは他方の上流側内部ローラ４２ｂに対して上方へずれて配置されている。
【００４２】  また、ローラ取付部３８において被支持ローラ４０ａ，４０ｂのフィルム搬送方向下流側には、一対の下流側内部ローラ４４ａ，４４ｂが回転可能に支持されている。各ローラ４４ａ，４４ｂのローラ外周面の一部はローラ取付部３８の表面に露出している。ここで、一方の下流側内部ローラ４４ａは、他方の下流側内部ローラ４４ｂに対して上方にずれて配置されている。
【００４３】  このように各一対の上流側内部ローラ４２ａ，４２ｂおよび下流側内部ローラ４４ａ，４４ｂを長尺フィルムＬＦの搬送方向（矢印Ｅ方向）にずれた位置に配置したことにより、同じ高さ位置に並べて配置する場合に比べてインナーガイド１２のローラ取付部３８の厚みを薄くすることが可能である。
【００４４】  インナーガイド１２が長尺フィルムＬＦの内側に配置された状態で支持ユニット１４に組み付けられたとき、図５に示すように、長尺フィルムＬＦのフィルム部分Ｆ１を挟んで一対の上流側内部ローラ４２ａ，４２ｂと支持ユニット１４の一対の上流側外部ローラ２４ａ，２４ｂとが当接する。また、長尺フィルムＬＦのフィルム部分Ｆ２を挟んで一対の下流側内部ローラ４４ａ，４４ｂと支持ユニット１４の一対の下流側外部ローラ２６ａ，２６ｂとが当接する。このようにしてインナーガイド１２の被支持部２８は、長尺フィルムＬＦの面方向と直交する方向（矢印Ｄ方向）に振れないように支持される。
【００４５】  図６は、図５中のＩ−Ｉ線拡大断面図である。インナーガイド１２に設けられた下流側内部ローラ４４ａ，４４ｂは、図６に示すように、軸方向両端部が径方向外側へ隆起した略鼓状をなしている。一方、支持ユニット１４に設けられた下流側外部ローラ２６ａ，２６ｂは、軸方向両端の角部がテーパ状に形成されて、インナーガイド１２の下流側内部ローラ４４ａ，４４ｂにそれぞれ嵌まり込んでいる。また、図示しないが、インナーガイド１２の上流側内部ローラ４２ａ，４２ｂと、支持ユニット１４の上流側外部ローラ２４ａ，２４ｂも同様の関係となるよう形成されている。したがって、支持ユニット１４の上流側外部ローラ２４ａ，２４ｂおよび下流側外部ローラ２６ａ，２６ｂが、インナーガイド１２の上流側内部ローラ４２ａ，４２ｂおよび下流側内部ローラ４４ａ，４４ｂに嵌まり込んでいるために、インナーガイド１２は支持ユニット１４によって矢印Ｄ方向に振れないように支持されるのに加えて、長尺フィルムＬＦ内で矢印Ｈ方向に移動しないように支持されている。
【００４６】  なお、本実施形態では、インナーガイド１２の被支持部２８において、一対の被支持ローラ４０ａ，４０ｂの上流側と下流側の両方に各一対の内部ローラ４２ａ，４２ｂ，４４ａ，４４ｂを設けたが、これに限定されるものではなく、どちらか一方の内部ローラ対だけを設けてもよい。その場合でも、インナーガイド１２の矢印Ｄ方向への振れを抑制する効果がある。
【００４７】  インナーガイド１２の連結部３０は、被支持部２８と離反部３２との間に設けられている。連結部３０は、例えば金属板によって好適に形成され、長尺フィルムＬＦよりも少し狭い幅を有している。これにより、連結部３０の両側縁部は、長尺フィルムＬＦの折目部分Ｏ１，Ｏ２の内側に近接して位置している。このため、インナーガイド１２に沿って搬送される長尺フィルムＬＦの折目部分Ｏ１，Ｏ２の搬送位置を規制することが可能になり、図８を参照して上述した幅狭の連結部１１２を有するインナーガイド１００に比べて、長尺フィルムＬＦをばたつきなく安定して搬送することが可能になる。
【００４８】  また、連結部３０には、矩形状の開口部３１が形成されて、フレーム状をなしている。この開口部３１は、フィルム送出ユニット６０の駆動ローラ６２および従動ローラ６４が配置されて長尺フィルムＬＦを挟んで送り出すために設けられる。このように連結部３０がフレーム状の板材で形成されることで、図８を参照して上述した幅狭の連結部１１２を有するインナーガイド１００に比べて、連結部３０の剛性が高くなる。その結果、インナーガイド１２が連結部３０で曲がって変形しにくくなり、長尺フィルムＬＦをマンドレル７６へと確実にガイドすることができる。
【００４９】  インナーガイド１２の離反部３２は、連結部３０の下部に取り付けられている。離反部３２は、２枚のばね板３２ａ，３２ｂによって構成される。２枚のばね板３２ａ，３２ｂは、下方へ向かって略Ｖ字状に広がる形状に形成されている。搬送される長尺フィルムＬＦがフィルム切断ユニット７０によって切断された後、長尺フィルムＬＦの切断端部を開いてマンドレル７６に確実に被嵌させるようにする機能は、従来のインナーガイド１００と同様である。
【００５０】  また、インナーガイド１２においてガイド部材３４は、被支持部２８の上端部、すなわち長尺フィルムＬＦの搬送方向上流側に取り付けられている。本実施形態では、ガイド部材３４は例えば１枚の金属板によって好適に構成される。ガイド部材３４の幅は、シート状に折り畳まれた状態での筒状の長尺フィルムＬＦの幅Ｗとほぼ同等に形成されている。これにより、ガイド部材３４は筒状の長尺フィルムＬＦが搬送されるとき、その幅方向両側の折目部分Ｏ１，Ｏ２の内面に当接して、インナーガイド１２に対する長尺フィルムＬＦの搬送位置を規制することができる。
【００５１】  なお、本実施形態では板状のガイド部材３４を備える構成を説明したが、これに限定されるものではない。例えば、図７に示すように、Ｌ字状に曲げ加工された線状ばね（又はばね棒）３５ａ，３５ｂを被支持部２８のベース部材３６の上側角部に取り付けてガイド部材としてもよい。この場合、線状ばね３５ａ，３５ｂが弾性を有することから、長尺フィルムＬＦの幅Ｗが変更になった場合や自然収縮によって長尺フィルムＬＦの幅Ｗが小さくなった場合等にも柔軟に対応してガイド機能を発揮することができる。
【００５２】  上述したように本実施形態のインナーガイドユニット１０では、長尺フィルムＬＦがインナーガイド１２の被支持部２８の周囲を搬送されるとき、長尺フィルムＬＦの内面には、長尺フィルムＬＦを構成する２枚のフィルム部分Ｆ１，Ｆ２の幅方向中央領域において、被支持部２８に回転可能に設けられた一対の被支持ローラ４０ａ，４０ｂ、一対の上流側内部ローラ４２ａ，４２ｂおよび一対の下流側内部ローラ４４ａ，４４ｂが主に接触した状態で搬送可能になる。したがって、内面に滑り層が形成されていない長尺フィルムＬＦや自然収縮が生じている長尺フィルムＬＦであっても、インナーガイド１２の被支持部２８の周囲を小さい接触抵抗で搬送することができ、搬送詰まりや傷の発生を抑制できる。
【００５３】  また、インナーガイド１２は、長尺フィルムＬＦを構成する２枚のフィルム部分Ｆ１，Ｆ２の幅方向の略中央領域に対応する位置で、一対の被支持ローラ４０ａ，４０ｂ、一対の上流側内部ローラ４２ａ，４２ｂおよび一対の下流側内部ローラ４４ａ，４４ｂと、支持ユニット１４の一対の支持ローラ２２、一対の上流側外部ローラ２４および一対の下流側外部ローラ２６とによって支持される。そのため、長尺フィルムＬＦの両側縁の折目部分Ｏ１，Ｏ２をローラ間に挟んでインナーガイド１２を支持しなくてもよい。その結果、長尺フィルムＬＦの折目を緩和させずに残すことができる。したがって、その後に切断されて形成される個別の筒状フィルムＦのスプリングバック力を有効に活用して、被嵌される容器Ｂのキャップ部等の周囲に筒状フィルムＦを保持した状態にすることができる。
【００５４】  さらに、図８を参照して説明した従来のインナーガイド１００の場合では長尺フィルムの幅が異なる種類のものに変更になる場合には、必ずインナーガイド１００を交換するとともに一対の支持ローラ１１０間の距離を調整し直す必要があり、型替えに手間が掛かっていた。これに対し、本実施形態のインナーガイドユニット１０では、インナーガイド１２の被支持部２８のフィルム幅方向両端部で支持しない構成としたことで、ガイド部材３４以外はインナーガイド１２をそのまま使用できることがあり、しかも、支持ユニット１４における一対の支持ローラ２２ａ，２２ｂ間の距離調整は不要である。したがって、本実施形態によれば異なる幅Ｗの長尺フィルムへの変更に伴う作業を容易にすることができる。
【００５５】  なお、本発明は上述した実施形態およびその変形例に限定されるものではなく、本願の特許請求の範囲に記載された事項およびその均等な範囲内において種々の変更が可能である。
【００５６】  例えば、上記においてはインナーガイド１２の連結部３０には１つの開口部３１が形成されてフレーム状をなす構成を説明したが、これに限定されるものではない。送出ローラ６２，６４を配置するための開口部以外に１つ又は複数の開口部を形成してフレーム状をなすものであってもよい。
【００５７】  また、上記においてはインナーガイドユニット１０が容器Ｂのキャップ部周囲に筒状フィルムＦを被嵌するフィルム被嵌装置１に適用される例を説明したが、本発明のインナーガイドは容器Ｂの胴部周囲に筒状ラベルを被嵌するラベル被嵌装置に適用されてもよい。
【符号の説明】
【００５８】  １  フィルム被嵌装置  ２  フレーム  １０  インナーガイドユニット  １２  インナーガイド  １４  支持ユニット  １６ａ  固定ブラケット  １６ｂ  可動ブラケット  １８ａ，１８ｂ  軸部材  ２２  一対の支持ローラ  ２２ａ，２２ｂ  支持ローラ  ２４  一対の上流側外部ローラ  ２４ａ，２４ｂ  上流側外部ローラ  ２６  一対の下流側外部ローラ  ２６ａ，２６ｂ  下流側外部ローラ  ２８  被支持部  ３０  連結部  ３１  開口部  ３２  離反部  ３２ａ，３２ｂ  ばね板  ３４  ガイド部材  ３６  ベース部材  ３８  ローラ取付部  ３９  窪み部  ４０ａ，４０ｂ  被支持ローラ  ４２ａ，４２ｂ  上流側内部ローラ  ４４ａ，４４ｂ  下流側内部ローラ  ６０  フィルム送出ユニット  ６２  駆動ローラまたは送出ローラ  ６４  従動ローラまたは送出ローラ  ７０  フィルム切断ユニット  ７２，７４  剪断刃  ７６  マンドレル  ８０  フィルム移送ユニット  ８２ａ，８２ｂ  フィードベルトユニット  ８４  ベルト  ９０  フィルム放出ユニット  ９２ａ，９２ｂ  放出ローラ  Ｂ  容器  Ｆ  筒状フィルム  Ｆ１，Ｆ２  フィルム部分  ＬＦ  長尺フィルム  Ｏ１，Ｏ２  折目部分  Ｗ  幅  α  フィルム被嵌位置
【図１】
2016157932.tif 000003
【図２】
2016157932.tif 000004
【図３】
2016157932.tif 000005
【図４】
2016157932.tif 000006
【図５】
2016157932.tif 000007
【図６】
2016157932.tif 000008
【図７】
2016157932.tif 000009
【図８】
2016157932.tif 000010
【国際調査報告】
2016157932.tif 000011
2016157932.tif 000012
2016157932.tif 000013
2016157932.tif 000014